(57)【要約】      （修正有）【課題】健康手帳、薬手帳などのサイズの異なる二以上の手帳を収納するための手帳カバーを提供する。【解決手段】健康手帳、薬手帳などの二以上の手帳を収納するための手帳カバー１であって、少なくとも二種類のサイズのサブ手帳カバー１０，２０を備え、サブ手帳カバーが、それぞれ手帳の表表紙を挿入するためのポケットと裏表紙を挿入するためのポケット１２，１３，２２，２３を備えるとともに、外側表面における折り畳み線付近１１，２１で連結された手帳カバーとする。このサブ手帳カバーは、外側表面における折り畳み線付近で、取り外し可能に連結可能にしてもよく、ファスナー又は取り付けピンを用いて取り外し可能にすることができる。サブ手帳カバーの全部又は一部を、透明素材で構成することも好ましく、手帳カバーに、ネームプレート用ポケット、書類等収納用ポケット、薬収納用ポケットを備えることも好ましい。【選択図】図１
0003144667.tif 000002
【実用新案登録請求の範囲】
【請求項１】
健康手帳、薬手帳などの二以上の手帳を収納するための手帳カバーであって、
少なくとも二種類のサイズのサブ手帳カバーを備え、
前記サブ手帳カバーが、それぞれ手帳の表表紙を挿入するためのポケットと裏表紙を挿入するためのポケットを備えるとともに、外側表面における折り畳み線付近で連結されたことを特徴とする手帳カバー。
【請求項２】
前記サブ手帳カバーが、外側表面における折り畳み線付近で、取り外し可能に連結されたことを特徴とする請求項１記載の手帳カバー。
【請求項３】
前記サブ手帳カバーが、ファスナー又は取り付けピンを用いて取り外し可能に連結されたことを特徴とする請求項２記載の手帳カバー。
【請求項４】
前記サブ手帳カバーの全部又は一部が、透明素材からなることを特徴とする請求項１〜３記載の手帳カバー。
【請求項５】
前記サブ手帳カバーにおいて、当該手帳カバーの表面にあたる部分、裏面にあたる部分、表面の裏表紙にあたる部分、又は、裏面の裏表紙にあたる部分に、ネームプレート用ポケットを備えたことを特徴とする請求項１〜４記載の手帳カバー。
【請求項６】
前記サブ手帳カバーの少なくともいずれかが、健康保険証、診察券などのカード若しくは処方箋などの書類を収納するためのポケット、及び／又は、薬収納用ポケットを備えたことを特徴とする請求項１〜５記載の手帳カバー。
【請求項７】
前記サブ手帳カバーが、全て横開きタイプのもの、又は、全て縦開きタイプのものであることを特徴とする請求項１〜６記載の手帳カバー。
【考案の詳細な説明】
【技術分野】
【０００１】
本考案は、手帳カバーに関し、特に、健康手帳、薬手帳などの二以上の手帳を収納するための手帳カバーに関する。
【背景技術】
【０００２】
従来、糖尿病の患者には「糖尿病健康手帳」が渡され、診察時に持参してもらい、主治医により検査結果などが記入されるようになっている。
また、調剤薬局からは「お薬手帳」が渡され、服用する薬の名前や摂取量などが記載されるようになっている。
【０００３】
これらの手帳は、病院に行くときには、両方とも持って行き、診察を受ける際に提示することが望ましい。
しかしながら、これらは、このように同時に提出する場合のあるものではあるが、別個の手帳であることから、その一方を持って行き忘れるなど取り扱いがやや煩雑であるという問題があった。
このため、これらの手帳を一体化して取り扱えれば、便利である。
【０００４】
ここで、複数の手帳を一体化して取り扱うことを可能とする考案として、例えば特許文献１に記載の分冊手帳付き手帳がある。
この手帳では、手帳カバーの一端に分冊手帳用ポケットを設け、この分冊用手帳ポケットに分冊手帳の表紙を挿入することで、これらを一体的に取り扱えるようになっている。
【０００５】
また、特許文献２に記載の手帳カバーは、少なくとも２組の見開きを有するカバー本体のそれぞれの見開きの内側両部に手帳の表表紙と裏表紙を差し込む差込用袋部を設けることで、用途別の複数の手帳を差し替え可能に取り付けることができるようになっている。
しかし、これらの考案では、同じサイズの手帳を一体的に取り扱えるようにするものであり、糖尿病健康手帳やお薬手帳のような異なるサイズの複数の手帳を取り付けることはできない。
【０００６】
これに対し、特許文献３に記載の上下２段式手帳では、上下に異なるサイズの手帳を取り付けることができる手帳カバーが用いられている。この手帳カバーを用いれば、例えば予定表の手帳と手帳本体などを取り付けることができ、これらを同時に開いて使用することが可能となっている。
【０００７】
【特許文献１】実用新案登録第３０７８０７３号公報
【特許文献２】特開２００５−３３５２５８号公報
【特許文献３】実用新案登録第３０９７４５９号公報
【考案の開示】
【考案が解決しようとする課題】
【０００８】
しかしながら、いずれの手帳カバーを用いても、糖尿病健康手帳やお薬手帳のようなサイズの異なる複数の手帳を一体的に取り扱うことはできない。
特に、糖尿病健康手帳やお薬手帳などのサイズの異なる手帳は、横幅も異なるため、上下２段とするには適さず、特許文献３に記載の上下２段式手帳を用いても適切に一体的に取り扱うことは困難である。また、このように手帳を上下に取り付けると、縦幅が大きくなり、取り扱いに不便なものになってしまう。さらに、この方法では、３冊以上の手帳を一体的に取り扱うことはできない。
【０００９】
本考案は、上記の事情にかんがみなされたものであり、異なるサイズの複数の手帳カバーを、外側表面における折り畳み線付近で連結することで、容易に一体的に取り扱うことを可能とした手帳カバーの提供を目的とする。
【課題を解決するための手段】
【００１０】
上記目的を達成するため、健康手帳、薬手帳などの二以上の手帳を収納するための手帳カバーであって、少なくとも二種類のサイズのサブ手帳カバーを備え、サブ手帳カバーが、それぞれ手帳の表表紙を挿入するためのポケットと裏表紙を挿入するためのポケットを備えるとともに、外側表面における折り畳み線付近で連結された構成としてある。
【考案の効果】
【００１１】
本考案によれば、異なるサイズの複数の手帳カバーを、外側表面における折り畳み線付近で連結して手帳カバーを構成することで、様々な種類の手帳を容易に一体的に取り扱うことができる。
【考案を実施するための最良の形態】
【００１２】
以下、本考案の手帳カバーの好ましい実施形態について、図面を参照しつつ説明する。
【００１３】
［第一実施形態］
まず、本考案の第一実施形態の構成について、図１〜図３を参照して説明する。図１は、本実施形態の手帳カバーを示す図である。図２は、本実施形態の手帳カバーの書類収納用ポケット、ネームプレート用ポケットを示す図である。図３は、本実施形態の手帳カバーに手帳を挿入したようすを示す図である。
【００１４】
図１に示すように、本実施形態の手帳カバー１は、サイズの異なるサブ手帳カバー１０，２０を備えるものとすることができる。
同図の例では、サブ手帳カバー１０としてサブ手帳カバー２０よりも小さいものを用いているが、これに限定されるものではなく、サブ手帳カバー１０としてサブ手帳カバー２０よりも大きいものを用いることも可能である。また、同図の手帳カバー１には、サブ手帳カバーが２個備えられているが、３個以上備えた構成とすることも可能である。
【００１５】
サブ手帳カバー１０には、表表紙又は裏表紙を挿入して、手帳を取り付けるための、表紙挿入ポケット１２，１３が備えられている。同様に、サブ手帳カバー２０には、表紙挿入ポケット２２，２３が備えられている。また、サブ手帳カバー１０，２０は、二つ折りに折り畳んだ形状であり、折り畳み線付近で他のサブ手帳カバーと連結する構成となっている。
【００１６】
このサブ手帳カバー１０，２０は、一体に形成された手帳カバーにおける表表紙カバーと裏表紙カバーを折り畳み線１１，２１部分で折り畳んで構成することができる。
また、別個に形成された表表紙カバーと裏表紙カバーを折り畳み線１１，２１部分で貼り合わせて、サブ手帳カバー１０，２０を構成することもできる。
【００１７】
また、手帳カバー１におけるサブ手帳カバーの少なくともいずれかに、書類収納用ポケットやネームプレート用ポケットを設けることも好ましい。書類収納用ポケットには、健康保険証、診察券や処方箋などを入れることができる。
図２には、サブ手帳カバー２０に書類収納用ポケット２４及びネームプレート用ポケット２５を設けた例を示している。
【００１８】
手帳カバー１の材料としては、特に限定されないが、透明な素材を用いることが好ましく、各種プラスチック素材などを好適に用いることが可能である。
また、手帳カバー１の全部を透明とする他、例えば表紙などの一部のみを透明とし、処方箋用ポケットなどその他の部分を例えば布やゴムなど非透明の素材を用いて構成することも可能である。
【００１９】
このような手帳カバー１には、糖尿病健康手帳や抗凝血薬療法手帳、お薬手帳等の医療用手帳など、各種手帳を取り付けて好適に使用することができる。
図３には、表紙に透明な素材が使用された手帳カバー１のサブ手帳カバー１０に「糖尿病健康手帳」を、サブ手帳カバー２０に「お薬手帳」を取り付けた例を示している。
【００２０】
以上説明したように、本実施形態の手帳カバーによれば、サイズの異なる複数の手帳を取り付けることができる。
このため、これらの手帳を一体的に管理することができ、従来の取り扱いの煩雑性を改善することが可能となる。
【００２１】
［第二実施形態］
次に、本考案の第二実施形態について、図４を参照して説明する。
本実施形態は、手帳カバーにおける各サブ手帳カバーを、個別に分離することができる点で第一実施形態と異なっている。その他の点については、第一実施形態における構成と同様である。
【００２２】
すなわち、本実施形態の手帳カバー１は、図４に示すように、サブ手帳カバー１０とサブ手帳カバー２０を取り外し可能に連結する面ファスナー１４，２６を備えている。この面ファスナー１４，２６としては、例えばマジックテープ（登録商標）などを用いることができる。
【００２３】
同図の例では、２個のサブ手帳カバーを取り外し可能に連結する構成が示されているが、３個以上のサブ手帳カバー１０を取り外し可能に連結することもできる。このとき、図示していないが、例えば３個目のサブ手帳カバーの面ファスナーを、サブ手帳カバー２０における面ファスナー２６に取り外し可能に連結することができる。
【００２４】
このような本実施形態の手帳カバー１によれば、サイズの異なる複数の手帳を取り付けることができることに加え、サブ手帳カバーを随時追加することもでき、あとから必要になった手帳なども併せて一体的に取り扱うことが可能となる。
【００２５】
［第三実施形態］
次に、本考案の第三実施形態について、図５を参照して説明する。
本実施形態は、手帳カバーにおける各サブ手帳カバーが、個別に分離可能な点で第一実施形態と異なっており、第二実施形態と比較してより簡易な構成で個別に分離可能になっている。その他の点については、第一実施形態における構成と同様である。
【００２６】
すなわち、本実施形態の手帳カバー１は、図５に示すように、取り付けピン３０をサブ手帳カバー１０とサブ手帳カバー２０の折り畳み線部分を下方から挟み込むことで、これらのサブ手帳カバーが取り外し可能に連結されている。
また、同図では２個のサブ手帳カバーを連結した構成を示しているが、同様に取り付けピン３０を用いて、より多くのサブ手帳カバーを連結することも可能である。
【００２７】
このような本実施形態の手帳カバー１によれば、取り付けピン３０を使用することで、極めて簡易に複数のサブ手帳カバーを連結することができる。このため、手帳カバー１を容易に作成することが可能である。
【００２８】
［第四実施形態］
次に、本考案の第四実施形態について、図６を参照して説明する。
本実施形態は、手帳カバー１の少なくともいずれかのサブ手帳カバーに薬収納用ポケットが備えられている点で第一実施形態と異なっている。その他の点については、第一実施形態における構成と同様である。
【００２９】
すなわち、本実施形態の手帳カバー１には、図６に示すように、薬が収納できる薬収納用ポケット２７が設けられている。同図では、サブ手帳カバー２０に設けられたようすが示されているが、これに限定されるものではなく、サブ手帳カバー１０に設けたり、手帳カバー１が３個以上のサブ手帳カバーを備える場合には、これらの全部又は一部に設けることができる。
【００３０】
薬収納用ポケット２７は、薬が収納可能な内部空間を備え、薬の出し入れがしやすく、かつ、通常は取り出し口が閉じるように、伸縮する上縁部２８を有している。なお、このような取り出し口を上縁部ではなく、側縁部等に設けるようにすることもできる。
【００３１】
このような本実施形態の手帳カバー１によれば、薬局などでもらった薬を、お薬手帳とともに、手帳カバー１に収納することができ、これらをまとめて容易に持ち運ぶことが可能となる。
【００３２】
［第五実施形態］
次に、本考案の第五実施形態について、図７を参照して説明する。
本実施形態は、手帳カバー１の少なくともいずれかのサブ手帳カバーに、健康保険証や診察券などのカードを収納するためのスリットが付いたポケットが備えられている点で第一実施形態と異なっている。その他の点については、第一実施形態における構成と同様である。
【００３３】
すなわち、本実施形態の手帳カバー１には、図７に示すように、カードを挿入するためのスリット付きポケット２９が設けられている。同図の例では、スリットが３個設けられているが、これに限定されるものではなく、３個より多くても少なくても良い。
【００３４】
また、同図には、このカード用スリット付きポケット２９が、サブ手帳カバー２０に設けられたようすが示されているが、これに限定されるものではない。すなわち、薬収納用ポケット２７の場合と同様に、カード用スリット付きポケット２９をサブ手帳カバー１０に設けたり、手帳カバー１が３個以上のサブ手帳カバーを備える場合には、これらの全部又は一部に設けることが可能である。
【００３５】
このような本実施形態の手帳カバー１によれば、図７に示すように、健康保険証や診察券などのカードも、健康手帳やお薬手帳などとともに、手帳カバー１に収納することができる。
このため、より一層利便性に優れた手帳カバーを提供することが可能となる。
【００３６】
本考案は、以上の実施形態に限定されるものではなく、本考案の範囲内において、種々の変更実施が可能である。
例えば、第二実施形態又は第三実施形態と、第四実施形態又は第五実施形態とを組み合わせることで、サブ手帳カバーを個別に取り外すことができ、かつ薬収納用ポケットやカード用スリット付きポケットを備えた手帳カバーを構成することが可能である。
また、第二実施形態の面ファスナーに変えて、レールファスナーを使用するなど適宜変更することが可能である。
【産業上の利用可能性】
【００３７】
本考案は、サイズの異なる複数の手帳を使用する場合に、これらをまとめて容易に持ち運び可能な収容手段として好適に利用することが可能である。
【図面の簡単な説明】
【００３８】
【図１】本考案の第一実施形態の手帳カバーを示す図である。
【図２】本考案の第一実施形態の手帳カバーの書類収納用ポケット、ネームプレート用ポケットを示す図である。
【図３】本考案の第一実施形態の手帳カバーに手帳を挿入したようすを示す図である。
【図４】本考案の第二実施形態の面ファスナーによりサブ手帳カバーが取り外し可能な手帳カバーを示す図である。
【図５】本考案の第三実施形態の取り付けピンによりサブ手帳カバーが取り外し可能な手帳カバーを示す図である。
【図６】本考案の第四実施形態の手帳カバーの薬収納用ポケットを示す図である。
【図７】本考案の第五実施形態の手帳カバーのカード用スリット付きポケットを示す図である。
【符号の説明】
【００３９】
１  手帳カバー
１０，２０  サブ手帳カバー
１１，２１  折り畳み線
１２，１３，２２，２３  表紙挿入ポケット
２４  書類収納用ポケット
２５  ネームプレート用ポケット
１４，２６  面ファスナー
２７  薬収納用ポケット
２８  上縁部
２９  カード用スリット付きポケット
３０  取り付けピン
【図１】
0003144667.tif 000003
【図２】
0003144667.tif 000004
【図３】
0003144667.tif 000005
【図４】
0003144667.tif 000006
【図５】
0003144667.tif 000007
【図６】
0003144667.tif 000008
【図７】
0003144667.tif 000009
【手続補正書】
【提出日】平成20年7月3日(2008.7.3)
【手続補正１】
【補正対象書類名】実用新案登録請求の範囲
【補正対象項目名】全文
【補正方法】変更
【補正の内容】
【実用新案登録請求の範囲】
【請求項１】
健康手帳、薬手帳（Ｒ）などの二以上の手帳を収納するための手帳カバーであって、
少なくとも二種類のサイズのサブ手帳カバーを備え、
前記サブ手帳カバーが、それぞれ手帳の表表紙を挿入するためのポケットと裏表紙を挿入するためのポケットを備えるとともに、外側表面における折り畳み線付近で連結されたことを特徴とする手帳カバー。
【請求項２】
前記サブ手帳カバーが、外側表面における折り畳み線付近で、取り外し可能に連結されたことを特徴とする請求項１記載の手帳カバー。
【請求項３】
前記サブ手帳カバーが、ファスナー又は取り付けピンを用いて取り外し可能に連結されたことを特徴とする請求項２記載の手帳カバー。
【請求項４】
前記サブ手帳カバーの全部又は一部が、透明素材からなることを特徴とする請求項１〜３記載の手帳カバー。
【請求項５】
前記サブ手帳カバーにおいて、当該手帳カバーの表面にあたる部分、裏面にあたる部分、表面の裏表紙にあたる部分、又は、裏面の裏表紙にあたる部分に、ネームプレート用ポケットを備えたことを特徴とする請求項１〜４記載の手帳カバー。
【請求項６】
前記サブ手帳カバーの少なくともいずれかが、健康保険証、診察券などのカード若しくは処方箋などの書類を収納するためのポケット、及び／又は、薬収納用ポケットを備えたことを特徴とする請求項１〜５記載の手帳カバー。
【請求項７】
前記サブ手帳カバーが、全て横開きタイプのもの、又は、全て縦開きタイプのものであることを特徴とする請求項１〜６記載の手帳カバー。
【手続補正２】
【補正対象書類名】明細書
【補正対象項目名】全文
【補正方法】変更
【補正の内容】
【考案の詳細な説明】
【技術分野】
【０００１】
本考案は、手帳カバーに関し、特に、健康手帳、薬手帳（Ｒ）などの二以上の手帳を収納するための手帳カバーに関する。
【背景技術】
【０００２】
従来、糖尿病の患者には「糖尿病健康手帳」が渡され、診察時に持参してもらい、主治医により検査結果などが記入されるようになっている。
また、調剤薬局からは「お薬手帳（Ｒ）」が渡され、服用する薬の名前や摂取量などが記載されるようになっている。
【０００３】
これらの手帳は、病院に行くときには、両方とも持って行き、診察を受ける際に提示することが望ましい。
しかしながら、これらは、このように同時に提出する場合のあるものではあるが、別個の手帳であることから、その一方を持って行き忘れるなど取り扱いがやや煩雑であるという問題があった。
このため、これらの手帳を一体化して取り扱えれば、便利である。
【０００４】
ここで、複数の手帳を一体化して取り扱うことを可能とする考案として、例えば特許文献１に記載の分冊手帳付き手帳がある。
この手帳では、手帳カバーの一端に分冊手帳用ポケットを設け、この分冊用手帳ポケットに分冊手帳の表紙を挿入することで、これらを一体的に取り扱えるようになっている。
【０００５】
また、特許文献２に記載の手帳カバーは、少なくとも２組の見開きを有するカバー本体のそれぞれの見開きの内側両部に手帳の表表紙と裏表紙を差し込む差込用袋部を設けることで、用途別の複数の手帳を差し替え可能に取り付けることができるようになっている。
しかし、これらの考案では、同じサイズの手帳を一体的に取り扱えるようにするものであり、糖尿病健康手帳やお薬手帳（Ｒ）のような異なるサイズの複数の手帳を取り付けることはできない。
【０００６】
これに対し、特許文献３に記載の上下２段式手帳では、上下に異なるサイズの手帳を取り付けることができる手帳カバーが用いられている。この手帳カバーを用いれば、例えば予定表の手帳と手帳本体などを取り付けることができ、これらを同時に開いて使用することが可能となっている。
【０００７】
【特許文献１】実用新案登録第３０７８０７３号公報
【特許文献２】特開２００５−３３５２５８号公報
【特許文献３】実用新案登録第３０９７４５９号公報
【考案の開示】
【考案が解決しようとする課題】
【０００８】
しかしながら、いずれの手帳カバーを用いても、糖尿病健康手帳やお薬手帳（Ｒ）のようなサイズの異なる複数の手帳を一体的に取り扱うことはできない。
特に、糖尿病健康手帳やお薬手帳（Ｒ）などのサイズの異なる手帳は、横幅も異なるため、上下２段とするには適さず、特許文献３に記載の上下２段式手帳を用いても適切に一体的に取り扱うことは困難である。また、このように手帳を上下に取り付けると、縦幅が大きくなり、取り扱いに不便なものになってしまう。さらに、この方法では、３冊以上の手帳を一体的に取り扱うことはできない。
【０００９】
本考案は、上記の事情にかんがみなされたものであり、異なるサイズの複数の手帳カバーを、外側表面における折り畳み線付近で連結することで、容易に一体的に取り扱うことを可能とした手帳カバーの提供を目的とする。
【課題を解決するための手段】
【００１０】
上記目的を達成するため、健康手帳、薬手帳（Ｒ）などの二以上の手帳を収納するための手帳カバーであって、少なくとも二種類のサイズのサブ手帳カバーを備え、サブ手帳カバーが、それぞれ手帳の表表紙を挿入するためのポケットと裏表紙を挿入するためのポケットを備えるとともに、外側表面における折り畳み線付近で連結された構成としてある。
【考案の効果】
【００１１】
本考案によれば、異なるサイズの複数の手帳カバーを、外側表面における折り畳み線付近で連結して手帳カバーを構成することで、様々な種類の手帳を容易に一体的に取り扱うことができる。
【考案を実施するための最良の形態】
【００１２】
以下、本考案の手帳カバーの好ましい実施形態について、図面を参照しつつ説明する。
【００１３】
［第一実施形態］
まず、本考案の第一実施形態の構成について、図１〜図３を参照して説明する。図１は、本実施形態の手帳カバーを示す図である。図２は、本実施形態の手帳カバーの書類収納用ポケット、ネームプレート用ポケットを示す図である。図３は、本実施形態の手帳カバーに手帳を挿入したようすを示す図である。
【００１４】
図１に示すように、本実施形態の手帳カバー１は、サイズの異なるサブ手帳カバー１０，２０を備えるものとすることができる。
同図の例では、サブ手帳カバー１０としてサブ手帳カバー２０よりも小さいものを用いているが、これに限定されるものではなく、サブ手帳カバー１０としてサブ手帳カバー２０よりも大きいものを用いることも可能である。また、同図の手帳カバー１には、サブ手帳カバーが２個備えられているが、３個以上備えた構成とすることも可能である。
【００１５】
サブ手帳カバー１０には、表表紙又は裏表紙を挿入して、手帳を取り付けるための、表紙挿入ポケット１２，１３が備えられている。同様に、サブ手帳カバー２０には、表紙挿入ポケット２２，２３が備えられている。また、サブ手帳カバー１０，２０は、二つ折りに折り畳んだ形状であり、折り畳み線付近で他のサブ手帳カバーと連結する構成となっている。
【００１６】
このサブ手帳カバー１０，２０は、一体に形成された手帳カバーにおける表表紙カバーと裏表紙カバーを折り畳み線１１，２１部分で折り畳んで構成することができる。
また、別個に形成された表表紙カバーと裏表紙カバーを折り畳み線１１，２１部分で貼り合わせて、サブ手帳カバー１０，２０を構成することもできる。
【００１７】
また、手帳カバー１におけるサブ手帳カバーの少なくともいずれかに、書類収納用ポケットやネームプレート用ポケットを設けることも好ましい。書類収納用ポケットには、健康保険証、診察券や処方箋などを入れることができる。
図２には、サブ手帳カバー２０に書類収納用ポケット２４及びネームプレート用ポケット２５を設けた例を示している。
【００１８】
手帳カバー１の材料としては、特に限定されないが、透明な素材を用いることが好ましく、各種プラスチック素材などを好適に用いることが可能である。
また、手帳カバー１の全部を透明とする他、例えば表紙などの一部のみを透明とし、処方箋用ポケットなどその他の部分を例えば布やゴムなど非透明の素材を用いて構成することも可能である。
【００１９】
このような手帳カバー１には、糖尿病健康手帳や抗凝血薬療法手帳、お薬手帳（Ｒ）等の医療用手帳など、各種手帳を取り付けて好適に使用することができる。
図３には、表紙に透明な素材が使用された手帳カバー１のサブ手帳カバー１０に「糖尿病健康手帳」を、サブ手帳カバー２０に「お薬手帳（Ｒ）」を取り付けた例を示している。
【００２０】
以上説明したように、本実施形態の手帳カバーによれば、サイズの異なる複数の手帳を取り付けることができる。
このため、これらの手帳を一体的に管理することができ、従来の取り扱いの煩雑性を改善することが可能となる。
【００２１】
［第二実施形態］
次に、本考案の第二実施形態について、図４を参照して説明する。
本実施形態は、手帳カバーにおける各サブ手帳カバーを、個別に分離することができる点で第一実施形態と異なっている。その他の点については、第一実施形態における構成と同様である。
【００２２】
すなわち、本実施形態の手帳カバー１は、図４に示すように、サブ手帳カバー１０とサブ手帳カバー２０を取り外し可能に連結する面ファスナー１４，２６を備えている。この面ファスナー１４，２６としては、例えばマジックテープ（登録商標）などを用いることができる。
【００２３】
同図の例では、２個のサブ手帳カバーを取り外し可能に連結する構成が示されているが、３個以上のサブ手帳カバー１０を取り外し可能に連結することもできる。このとき、図示していないが、例えば３個目のサブ手帳カバーの面ファスナーを、サブ手帳カバー２０における面ファスナー２６に取り外し可能に連結することができる。
【００２４】
このような本実施形態の手帳カバー１によれば、サイズの異なる複数の手帳を取り付けることができることに加え、サブ手帳カバーを随時追加することもでき、あとから必要になった手帳なども併せて一体的に取り扱うことが可能となる。
【００２５】
［第三実施形態］
次に、本考案の第三実施形態について、図５を参照して説明する。
本実施形態は、手帳カバーにおける各サブ手帳カバーが、個別に分離可能な点で第一実施形態と異なっており、第二実施形態と比較してより簡易な構成で個別に分離可能になっている。その他の点については、第一実施形態における構成と同様である。
【００２６】
すなわち、本実施形態の手帳カバー１は、図５に示すように、取り付けピン３０をサブ手帳カバー１０とサブ手帳カバー２０の折り畳み線部分を下方から挟み込むことで、これらのサブ手帳カバーが取り外し可能に連結されている。
また、同図では２個のサブ手帳カバーを連結した構成を示しているが、同様に取り付けピン３０を用いて、より多くのサブ手帳カバーを連結することも可能である。
【００２７】
このような本実施形態の手帳カバー１によれば、取り付けピン３０を使用することで、極めて簡易に複数のサブ手帳カバーを連結することができる。このため、手帳カバー１を容易に作成することが可能である。
【００２８】
［第四実施形態］
次に、本考案の第四実施形態について、図６を参照して説明する。
本実施形態は、手帳カバー１の少なくともいずれかのサブ手帳カバーに薬収納用ポケットが備えられている点で第一実施形態と異なっている。その他の点については、第一実施形態における構成と同様である。
【００２９】
すなわち、本実施形態の手帳カバー１には、図６に示すように、薬が収納できる薬収納用ポケット２７が設けられている。同図では、サブ手帳カバー２０に設けられたようすが示されているが、これに限定されるものではなく、サブ手帳カバー１０に設けたり、手帳カバー１が３個以上のサブ手帳カバーを備える場合には、これらの全部又は一部に設けることができる。
【００３０】
薬収納用ポケット２７は、薬が収納可能な内部空間を備え、薬の出し入れがしやすく、かつ、通常は取り出し口が閉じるように、伸縮する上縁部２８を有している。なお、このような取り出し口を上縁部ではなく、側縁部等に設けるようにすることもできる。
【００３１】
このような本実施形態の手帳カバー１によれば、薬局などでもらった薬を、お薬手帳（Ｒ）とともに、手帳カバー１に収納することができ、これらをまとめて容易に持ち運ぶことが可能となる。
【００３２】
［第五実施形態］
次に、本考案の第五実施形態について、図７を参照して説明する。
本実施形態は、手帳カバー１の少なくともいずれかのサブ手帳カバーに、健康保険証や診察券などのカードを収納するためのスリットが付いたポケットが備えられている点で第一実施形態と異なっている。その他の点については、第一実施形態における構成と同様である。
【００３３】
すなわち、本実施形態の手帳カバー１には、図７に示すように、カードを挿入するためのスリット付きポケット２９が設けられている。同図の例では、スリットが３個設けられているが、これに限定されるものではなく、３個より多くても少なくても良い。
【００３４】
また、同図には、このカード用スリット付きポケット２９が、サブ手帳カバー２０に設けられたようすが示されているが、これに限定されるものではない。すなわち、薬収納用ポケット２７の場合と同様に、カード用スリット付きポケット２９をサブ手帳カバー１０に設けたり、手帳カバー１が３個以上のサブ手帳カバーを備える場合には、これらの全部又は一部に設けることが可能である。
【００３５】
このような本実施形態の手帳カバー１によれば、図７に示すように、健康保険証や診察券などのカードも、健康手帳やお薬手帳（Ｒ）などとともに、手帳カバー１に収納することができる。
このため、より一層利便性に優れた手帳カバーを提供することが可能となる。
【００３６】
本考案は、以上の実施形態に限定されるものではなく、本考案の範囲内において、種々の変更実施が可能である。
例えば、第二実施形態又は第三実施形態と、第四実施形態又は第五実施形態とを組み合わせることで、サブ手帳カバーを個別に取り外すことができ、かつ薬収納用ポケットやカード用スリット付きポケットを備えた手帳カバーを構成することが可能である。
また、第二実施形態の面ファスナーに変えて、レールファスナーを使用するなど適宜変更することが可能である。
【産業上の利用可能性】
【００３７】
本考案は、サイズの異なる複数の手帳を使用する場合に、これらをまとめて容易に持ち運び可能な収容手段として好適に利用することが可能である。
【図面の簡単な説明】
【００３８】
【図１】本考案の第一実施形態の手帳カバーを示す図である。
【図２】本考案の第一実施形態の手帳カバーの書類収納用ポケット、ネームプレート用ポケットを示す図である。
【図３】本考案の第一実施形態の手帳カバーに手帳を挿入したようすを示す図である。
【図４】本考案の第二実施形態の面ファスナーによりサブ手帳カバーが取り外し可能な手帳カバーを示す図である。
【図５】本考案の第三実施形態の取り付けピンによりサブ手帳カバーが取り外し可能な手帳カバーを示す図である。
【図６】本考案の第四実施形態の手帳カバーの薬収納用ポケットを示す図である。
【図７】本考案の第五実施形態の手帳カバーのカード用スリット付きポケットを示す図である。
【符号の説明】
【００３９】
１  手帳カバー
１０，２０  サブ手帳カバー
１１，２１  折り畳み線
１２，１３，２２，２３  表紙挿入ポケット
２４  書類収納用ポケット
２５  ネームプレート用ポケット
１４，２６  面ファスナー
２７  薬収納用ポケット
２８  上縁部
２９  カード用スリット付きポケット
３０  取り付けピン
【手続補正３】
【補正対象書類名】図面
【補正対象項目名】図３
【補正方法】変更
【補正の内容】
【図３】
0003144667.tif 000010